(57)【要約】【課題】本発明は使用後廃棄時に施術者および被施術者をニードルの刺傷の危険から保護できるカテーテルを提供する。【解決手段】本発明は、一例として、ニードルと、ニードルに前端が結合されたプラグと、ニードルを囲むように形成された第１ケースと、第１ケースの前端に結合されたソケットと、第１ケースおよびソケットを垂直方向に締結するものの一側の外周縁にのこぎり歯を有し、内部にニードルによって貫通されるニードル溝を有するギヤと、ギヤののこぎり歯によって締結されたカテーテルハブと、カテーテルハブの前端に結合されたチューブとを備えるカテーテルが開示される。【選択図】図１
2017509455.tif 000002
【特許請求の範囲】
【請求項１】
ニードルと、
該ニードルに前端が結合されたプラグと、
前記ニードルを囲むように形成された第１ケースと、
該第１ケースの前端に結合されたソケットと、
前記第１ケースおよび前記ソケットを垂直方向で締結するものの一側の外周縁にのこぎり歯を有し、内部に前記ニードルによって貫通されるニードル溝を有するギヤと、
該ギヤの前記のこぎり歯によって締結されたカテーテルハブと、
該カテーテルハブの前端に結合されたチューブとを備えるカテーテル。
【請求項２】
前記ギヤの上側部に前記のこぎり歯が形成され、下側部に前記ニードル溝が形成される請求項１に記載のカテーテル。
【請求項３】
前記ソケットおよび前記第１ケースが前記ギヤによって一体的に結合している請求項１に記載のカテーテル。
【請求項４】
前記ニードルが前記第１ケースの長さ方向に沿って前記ギヤの前記ニードル溝から分離される請求項１に記載のカテーテル。
【請求項５】
前記ギヤは前記ニードルが分離された後、前記カテーテルハブのギヤ溝に沿って回転する請求項１に記載のカテーテル。
【請求項６】
前記ソケットおよび前記第１ケースが前記ギヤの回転により前記カテーテルハブから分離される請求項５に記載のカテーテル。
【請求項７】
前記ニードルが前記ギヤから分離された後、前記第１ケースの内部に収容される請求項１に記載のカテーテル。
【請求項８】
前記第１ケースの外周縁を囲み、貫通孔の前端が前記第１ケースの後端に比べて小さい直径に形成された第２ケースをさらに備える請求項１に記載のカテーテル。
【請求項９】
前記プラグの突起を通じて前記プラグと一体的に締結され、前記第２ケースの外周縁を囲むように形成され前記貫通孔の前端が前記第２ケースの後端に比べて小さい直径に形成されたニードルハブをさらに備える請求項８に記載のカテーテル。
【請求項１０】
前記ニードルハブ、前記第２ケースおよび前記第１ケースが順次後退する請求項８に記載のカテーテル。
【請求項１１】
ニードルと、
該ニードルに前端が結合されたプラグと、
該プラグの外周縁に結合されるムービングバーと、
該ムービングバーの前端に一体的に結合し、下部の前記ニードルが通過する第１領域および該第１領域の上部に突出した第２領域を有するピボットと、
前記ニードルによって支持されて前記第２領域の後端に位置するラックと、
前記第２領域の前端で前記ラックと噛み合うように結合されるギヤと、
前記ピボットの前端に結合され上部に前記ギヤと噛み合うのこぎり歯を有するハブと、
該ハブの前端に結合されるチューブとを備えるカテーテル。
【請求項１２】
前記プラグが前記ムービングバーの長さ方向に沿って前記ムービングバーの内部から外部に後退する請求項１１に記載のカテーテル。
【請求項１３】
前記ニードルが後退時に前記ムービングバーの内部に位置する請求項１１に記載のカテーテル。
【請求項１４】
前記第１領域の後端が前記ムービングバーに連結され、前端が前記ハブに挿入される請求項１１に記載のカテーテル。
【請求項１５】
前記ラックが前記ムービングバーの前端および前記ハブの後端の間の上部領域に位置する請求項１１に記載のカテーテル。
【請求項１６】
前記ギヤが前記ラックおよび前記ハブの前記のこぎり歯と噛み合って固定されることによって前記ピボットと前記ハブとを結合させる請求項１１に記載のカテーテル。
【請求項１７】
前記ニードルの後退時に前記ラックが前記第２領域から前記第１領域に下降する請求項１１に記載のカテーテル。
【請求項１８】
前記ラックが下降することによって前記ギヤが回転して前記ハブの前記のこぎり歯から離脱し、前記ピボットと前記ハブとが分離される請求項１７に記載のカテーテル。
【請求項１９】
前記ニードルは前記ラックによって前記ピボットから外部に向かう経路が遮断される請求項１７に記載のカテーテル。
【請求項２０】
前記ムービングバーの外周縁を囲み後端が前記プラグの後端と一体的に結合されるニードルハブをさらに備える請求項１１に記載のカテーテル。
【発明の詳細な説明】
【技術分野】
【０００１】
本発明は、使用後廃棄時に施術者および被施術者をニードルの刺傷の危険から保護できるカテーテルに関する。
【背景技術】
【０００２】
カテーテルは被施術者に薬を注液するための効率的なツールであって、主に病院で多く使用されている。カテーテルは患者など頻繁な薬物注入が必要な被施術者に対して、前端にチューブが形成されたハブを残すための構成で、以降注射等を通じた薬液注入時に新しく皮膚をニードルが貫通する必要のないように利便性を提供する。
【０００３】
このようなカテーテルはチューブを被施術者の体内に挿入するために、最初にニードルが貫通したチューブを被施術者の体内に挿入し、以降にニードルだけが後退して除去される過程を経ることになる。
【０００４】
しかし、ニードルを除去する過程で施術者または被施術者がニードルによる刺傷の恐れがあり、これを通じた感染など問題が発生するので注意が要求される。
【発明の概要】
【発明が解決しようとする課題】
【０００５】
本発明は、使用後廃棄時に施術者および被施術者をニードルの刺傷の危険から保護できるカテーテルを提供する。
【課題を解決するための手段】
【０００６】
本発明の一態様に係るカテーテルは、ニードルと、該ニードルに前端が結合されたプラグと、前記ニードルを囲むように形成された第１ケースと、該第１ケースの前端に結合されたソケットと、前記第１ケースおよび前記ソケットを垂直方向に締結するものの一側の外周縁にのこぎり歯を有し、内部に前記ニードルによって貫通するニードル溝を有するギヤと、該ギヤの前記のこぎり歯によって締結されたカテーテルハブと、該カテーテルハブの前端に結合されたチューブとを備える。
【０００７】
ここで、前記ギヤの上側部に前記のこぎり歯が形成され、下側部に前記ニードル溝が形成される。
そして、前記ソケットおよび前記第１ケースが前記ギヤによって一体的に結合される。
【０００８】
また、前記ニードルが前記第１ケースの長さ方向に沿って前記ギヤの前記ニードル溝で分離される。
また、前記ギヤは前記ニードルが分離された後、前記カテーテルハブのギヤ溝に沿って回転する。
【０００９】
また、前記ソケットおよび前記第１ケースが前記ギヤの回転により前記カテーテルハブから分離される。
また、前記ニードルが前記ギヤから分離された後、前記第１ケースの内部に収容される。
また、前記第１ケースの外周縁を囲み、貫通孔の前端が前記第１ケースの後端に比べて小さい直径に形成される。
【００１０】
また、前記プラグの突起を通じて前記プラグと一体的に締結され、第２ケースの外周縁を囲むように形成され前記貫通孔の前端が前記第２ケースの後端に比べて小さい直径に形成される。
また、前記ニードルハブ、前記第２ケースおよび前記第１ケースが順次後退することができる。
【００１１】
本発明の他の態様に係るカテーテルは、ニードルと、該ニードルに前端が結合されたプラグと、該プラグの外周縁に結合されるムービングバーと、該ムービングバーの前端に一体的に結合して、下部の前記ニードルが通過する第１領域および該第１領域の上部に突出した第２領域を有するピボットと、前記ニードルによって支持されて前記第２領域の後端に位置するラックと、前記第２領域の前端で前記ラックと噛み合うように結合されるギヤと、前記ピボットの前端に結合して上部に前記ギヤに噛み合うのこぎり歯を有するハブと、該ハブの前端に結合されるチューブとを備える。
【００１２】
ここで、前記プラグが前記ムービングバーの長さ方向に沿って前記ムービングバーの内部から外部に後退することができる。
そして、前記ニードルが後退時に前記ムービングバーの内部に位置することができる。
【００１３】
また、前記第１領域の後端が前記ムービングバーに連結され、前端が前記ハブに挿入される。
また、前記ラックが前記ムービングバーの前端と前記ハブの後端の間の上部領域に位置することができる。
【００１４】
また、前記ギヤが前記ラックおよび前記ハブののこぎり歯と噛み合って固定されることによって前記ピボットと前記ハブとを結合させる。
また、前記ニードルの後退時に前記ラックが前記第２領域から前記第１領域に下降することができる。
【００１５】
また、前記ラックが下降することによって前記ギヤが回転して前記ハブの前記のこぎり歯から離脱し、前記ピボットと前記ハブとが分離される。
また、前記ニードルは前記ラックによって前記ピボットから外部に向かう経路が遮断される。
【００１６】
また、前記ムービングバーの外周縁を囲み後端が前記プラグの後端と一体的に結合されるニードルハブをさらに備えることができる。
【発明の効果】
【００１７】
本発明の一態様に係るカテーテルは、カテーテルハブにギヤ溝を具備し、ソケットおよび第１ケースがギヤを通じてカテーテルハブと結合するように具備し、ギヤの下端にニードルが貫通する溝を備えることによって、ニードルが後退して第１ケースによって囲まれた以降だけにギヤが回転してソケットおよび第１ケースがカテーテルハブと分離するようにしてニードルが露出せずに被施術者および施術者を刺傷から安全に保護できる。
【００１８】
また、本発明の他の態様に係るカテーテルはギヤ、ラックおよびハブに形成されたのこぎり歯によってハブとムービングバーとを固定したり分離したりし、ニードルが後退してムービングバーとハブが分離された後にはラックでニードルが外部に向かう経路を遮断することによってニードルが露出せずに被施術者および施術者を刺傷から安全に保護できる。
【図面の簡単な説明】
【００１９】
【図１】本発明の一実施形態に係るカテーテルの分解斜視図である。
【図２】本発明の一実施形態に係るカテーテルのホルダーにニードルが結合された状態を示した平面図である。
【図３】本発明の一実施形態に係るカテーテルのギヤとニードルの結合された状態を示した正面図である。
【図４】本発明の一実施形態に係るカテーテルのカテーテルハブでニードルハブが分離される過程を示した図である。
【図５】本発明の一実施形態に係るカテーテルのカテーテルハブでニードルハブが分離される過程を示した図である。
【図６】本発明の一実施形態に係るカテーテルのギヤが回転してカテーテルハブでニードルが分離される過程を示した図である。
【図７】本発明の一実施形態に係るカテーテルのギヤが回転してカテーテルハブでニードルが分離される過程を示した図である。
【図８】本発明の一実施形態に係るカテーテルのカテーテルハブでニードルが分離された状態を示した図である。
【図９】図８におけるＡ部分拡大図である。
【図１０】図８におけるＢ部分拡大図である。
【図１１】本発明の他の実施形態に係るカテーテルの斜視図である。
【図１２】本発明の他の実施形態に係るカテーテルの斜視図である。
【図１３】本発明の他の実施形態に係るカテーテルの分解斜視図である。
【図１４】本発明の他の実施形態に係るカテーテルのハブでニードルが分離される過程を示した図である。
【図１５】本発明の他の実施形態に係るカテーテルのハブでニードルが分離される過程を示した図である。
【図１６】図１５におけるＣ部分の拡大断面図である。
【図１７】本発明の他の実施形態に係るカテーテルの作動過程を示した図である。
【図１８】本発明の他の実施形態に係るカテーテルの作動過程を示した図である。
【図１９】本発明の他の実施形態に係るカテーテルの作動過程を示した図である。
【図２０】本発明の他の実施形態に係るカテーテルの作動過程を示した図である。
【発明を実施するための形態】
【００２０】
本発明の属する技術分野において通常の知識を有する者が容易に実施できるほど本発明の望ましい実施形態を図面を参照して詳細に説明する。
以下、本発明の一実施形態に係るカテーテルについて説明する。
【００２１】
図１は本発明の一実施形態に係るカテーテルの分解斜視図である。図２は本発明の一実施形態に係るカテーテルのホルダーにニードルが結合された状態を示した平面図である。図３は本発明の一実施形態に係るカテーテルのギヤとニードルの結合された状態を示した正面図である。図４および図５は本発明の一実施形態に係るカテーテルのカテーテルハブでニードルハブが分離される過程を示した図である。図６および図７は本発明の一実施形態に係るカテーテルのギヤが回転してカテーテルハブでニードルが分離される過程を示した図である。図８は本発明の一実施形態に係るカテーテルのカテーテルハブでニードルが分離された状態を示した図である。図９は図８におけるＡ部分拡大図である。図１０は図８におけるＢ部分拡大図である。
【００２２】
図１から図１０に示されるように、本発明の一実施形態に係るカテーテル１０は、プラグ１１０、ニードル１２０、第１ケース１３０、第２ケース１４０、ニードルハブ１５０、ソケット１６０、ギヤ１７０、ホルダー１８０、ガスケット１９０、カテーテルハブ２００、およびチューブ２１０を備えて構成される。
【００２３】
プラグ１１０は一端がニードル１２０と結合する。プラグ１１０はニードル１２０を支持して、ニードル１２０が被施術者の体内に挿入されたり、挿入された後に後退して除去されたりできるようにする。プラグ１１０は他端に突起１１１を備え、突起１１１を通じてニードルハブ１５０と結合する。したがって、施術者がニードルハブ１５０を把持して本発明の一実施形態に係るカテーテル１０を使用する場合、プラグ１１０はニードルハブ１５０とともに後退して、後述のようにニードル１２０の前端が後退できるようにする。
【００２４】
ニードル１２０は内部に中空を有し、その前端は被施術者の皮膚を貫通できるように鋭く形成される。ニードル１２０の後端はプラグ１１０に結合され、これによってチューブ２１０とともに被施術者の体内に安定的に挿入される。また、ニードル１２０は被施術者のチューブ２１０が挿入完了すると、プラグ１１０に沿って後退して、チューブ２１０だけが体内に残ることになる。また、後述のように、このとき、ニードル１２０の前端は第１ケース１３０および第２ケース１４０の内部に隠されているので、ニードル１２０の前端によって施術者または被施術者が刺されることを未然に防止することができる。
【００２５】
第１ケース１３０はプラグ１１０と結合する。より具体的には、第１ケース１３０の内部にはプラグ１１０より大きい直径を有する貫通孔が形成され、ニードル１２０とプラグ１１０とが挿入され、第１ケース１３０はプラグ１１０の外周縁に結合する。
【００２６】
また、第１ケース１３０は前端にギヤホール１３１が形成され、ギヤ１７０が挿入できる領域を備える。ギヤホール１３１にはソケット１６０に結合されたギヤ１７０が挿入され、これによって第１ケース１３０の前端がソケット１６０と結合された状態を維持できる。したがって、以降施術者によって、第１ケース１３０が後退する場合、ソケット１６０が第１ケース１３０に沿ってカテーテルハブ２００から容易に分離できる。
【００２７】
また、第１ケース１３０は後端に突出部１３２が形成される。突出部１３２の直径は第１ケース１３０の他領域に比べて広く形成される。また、突出部１３２の直径は第２ケース１４０の前端に形成された貫通孔の直径より大きく形成される。したがって、施術者がニードルハブ１５０を把持した状態で後退させて第２ケース１４０が後退したら、第２ケース１４０の前端部に第１ケース１３０の突出部１３２がかかることになり、これによって、第１ケース１３０も後退する動作を順次行うことができる。
【００２８】
第２ケース１４０は内部に第１ケース１４０と比べてさらに大きい直径を有する貫通孔が形成され、第１ケース１４０が挿入され、第２ケース１４０は第１ケース１３０の外周縁に結合する。第２ケース１４０の前端は上述したように、第１ケース１３０の後端に形成された突出部１３２より小さいため、第２ケース１４０が後退すれば第１ケース１３０の突出部１３２にかかって第１ケース１３０も後退することができる。
【００２９】
また、第２ケース１４０の後端に突出部１４２が形成され、突出部１４２はニードルハブ１５０の貫通孔の前端に比べて大きい直径を有する。したがって、施術者がニードルハブ１５０を把持した状態で後退させれば、ニードルハブ１５０の貫通孔の前端部に第２ケース１４０の突出部１４２がかかることになり、これによって、第２ケース１４０も後退する動作を行うことができる。
【００３０】
ニードルハブ１５０は内部に貫通孔を備えて、第２ケース１４０が挿入された状態で外周縁を囲む。ニードルハブ１５０は後端に結合孔１５１が形成され、結合孔１５１がプラグ１１０の突起１１１と結合する。したがって、ニードルハブ１５０はプラグ１１０と一体的に結合された状態を維持する。ニードルハブ１５０は本発明の一実施形態に係るカテーテル１０で施術者が手で把持するようになる部分で、ニードル１２０の被施術者の体内挿入と挿入以降の後退動作はいずれもニードルハブ１５０を通じて行われる。施術者がニードルハブ１５０を後退させれば、第２ケース１４０が後退することになり、これによって第１ケース１３０が後退する動作が順次行われてニードル１２０は第１ケース１３０によって囲まれたまま後退することになる。したがって、ニードル１２０の端部が露出しないため、施術者および被施術者共にニードル１２０による刺傷から安全に保護できる。
【００３１】
ソケット１６０は第１ケース１３０の前端に結合している。ソケット１６０は第１ケース１３０のギヤホール１３１と対応する位置にもギヤホール１６１を有する。ソケット１６０にはギヤホール１６１を通じてギヤ１７０が上部から結合する。ソケット１６０はギヤ１７０を通じて第１ケース１３０と一体的に形成することができる。
【００３２】
ギヤ１７０は、ソケット１６０のギヤホール１６１および第１ケース１３０のギヤホール１３１に順次結合する。ギヤ１７０は、上側部１７１にのこぎり歯１７１を有し、下側部１７２にニードル１２０が貫通されるニードル溝１７２ａを有する。ニードル溝１７２ａにはニードル１２０が貫通された状態で結合するため、ニードル１２０が後退して抜ける前まではギヤ１７０が回転しない。したがって、ニードル１２０は第１ケース１３０によって端部が隠された以降だけにギヤ１７０が回転可能であるため、ニードル１２０が露出して刺傷が発生するのを根本的に遮断できる。
【００３３】
そして、ニードル１２０がプラグ１１０によって後退すると、ギヤ１７０の回転は自由になるため、ギヤ１７０はカテーテルハブ２００から分離できる。そして、これによって、カテーテルハブ２００からソケット１６０および第１ケース１３０が分離されて、被施術者の体にはカテーテルハブ２００だけが残される。
ホルダー１８０はニードル１２０によって貫通される。ホルダー１８０はニードル１２０の位置および後退方向を適切に維持させる。
【００３４】
ガスケット１９０は、ホルダー１８０をカテーテルハブ２００内で固定させ、薬液などがカテーテルハブ２００の外部に漏れることを防止する。当業者の選択によってガスケット１９０はホルダー１８０と一体的に形成するのも可能である。
【００３５】
カテーテルハブ２００はギヤ１７０によってソケット１６０と結合する。カテーテルハブ２００は上側内部にギヤ溝２０１を有する。したがって、ギヤ１７０ののこぎり歯がギヤ溝２０１に沿って回転するように誘導する。カテーテルハブ２００はギヤ１７０が回転することによって、ギヤ１７０から分離され、これによってソケット１６０および第１ケース１３０からも分離される。
【００３６】
チューブ２１０はカテーテルハブ２００の前端に結合する。チューブ２１０は内部に貫通孔が形成されて、ニードル１２０を収納する。チューブ２１０は被施術者の体内にニードル１２０と共に挿入され、ニードル１２０が後退して除去された以後、チューブ２１０だけが残存することになる。したがって、カテーテルハブ２００に注射器等を通じて他の薬液を注入する場合、チューブ２１０を通じた薬液注入が行われることになる。
【００３７】
前述のように、本発明の一実施形態に係るカテーテル１０はカテーテルハブ２００にギヤ溝２０１を備え、ソケット１６０および第１ケース１３０をギヤ１７０を通じてカテーテルハブ２１０と結合するように備え、ギヤ１７０の下端にニードル１２０が貫通する溝１７２ａを備えることにより、ニードル１２０が後退して第１ケース１３０によって囲まれた以後にギヤ１７０が回転してソケット１６０および第１ケース１３０をカテーテルハブ２１０と分離することでニードル１２０が露出せずに被施術者および施術者を刺傷から安全に保護できる。
【００３８】
以下、本発明の他の実施形態に係るカテーテルについて説明する。
図１１および図１２は本発明の他の実施形態に係るカテーテルの斜視図である。図１３は本発明の他の実施形態に係るカテーテルの分解斜視図である。図１４および図１５は本発明の他の実施形態に係るカテーテルのハブでニードルが分離される過程を示した図である。図１６は図１５におけるＣ部分の拡大断面図である。図１７から図２０は本発明の他の実施形態に係るカテーテルの作動過程を示した図である。
【００３９】
図１１から図１６に示されるように、本発明の他の実施形態に係るカテーテル２０は、プラグ３１０、ニードル３２０、ムービングバー３３０、ニードルハブ３４０、ピボット３５０、ラック３６０、ギヤ３７０、ハブ３８０、チューブ３９０およびキャップ４００を備える。
【００４０】
プラグ３１０は、一端がニードル３２０と結合する。プラグ３１０は、ニードル３２０を支持してニードル３２０が被施術者の体内に挿入され、挿入された後に後退して除去されるようにする。プラグ３１０は、他端に突起３１１を備え、突起３１１を通じてニードルハブ３４０と一体的に結合する。したがって、施術者がニードルハブ３４０を把持して本発明の他の実施形態に係るカテーテル２０を使用する場合、プラグ３１０はニードルハブ３４０とともに後退して、ニードル３２０を後退できるようにする。
【００４１】
ニードル３２０は、内部に中空を有し、前端が被施術者の皮膚を貫通できるように鋭く形成される。ニードル３２０の後端がプラグ３１０の一端に結合され、これによってチューブ３９０とともに被施術者の体内に安定的に挿入される。また、ニードル３２０は、被施術者の体内にチューブ３９０が挿入完了すると、プラグ３１０とともに後退してチューブ３９０だけが体内に残るようにすることができる。このとき、ニードル３２０の前端はムービングバー３３０の内部に隠されるので、ニードル３２０の前端によって施術者または被施術者が刺されるのを未然に防止することができる。これについては後述する。
【００４２】
ムービングバー３３０はプラグ３１０と結合する。より具体的には、ムービングバー３３０の内部にプラグ３１０より大きい直径を有する貫通孔が形成されて、プラグ３１０が挿入される。つまり、ムービングバー３３０はプラグ３１０の外周縁に結合する。また、ムービングバー３３０の一端には後述するピボット３５０が一体的に結合する。
【００４３】
また、ムービングバー３３０の後端には、第１係止あご３３１ａおよび第２係止あご３３１ｂが形成される。第１係止あご３３１ａおよび第２係止あご３３１ｂには、後述するニードルハブ３４０の後退時にニードルハブ３４０の係止フック３４２がかかることになる。これによって、プラグ３１０およびニードルハブ３４０の後退時に、ムービングバー３３０とニードルハブ３４０とが完全に分離せず、ニードル３２０が安全にムービングバー３３０の内側に位置することになる。
【００４４】
ニードルハブ３４０は、内部に貫通孔を備え、ムービングバー３３０が挿入された状態でその外周縁を囲む。ニードルハブ３４０は後端の内周縁にプラグ３１０の突起３１１と結合される溝３４１が形成される。したがって、ニードルハブ３４０は、プラグ３１０と一体的に結合された状態を維持することになる。ニードルハブ３４０は、本発明の他の実施形態に係るカテーテル２０で施術者が手で把持することになる部分で、ニードル３２０の被施術者の体内挿入と挿入以後の後退動作はいずれもニードルハブ３４０を通じて行われる。施術者がニードルハブ３４０を後退させれば、ニードルハブ３４０と一体的に結合されたプラグ３１０も共に後退し、プラグ３１０の一端に固定されたニードル３２０も後退することになる。このとき、ニードル３２０がムービングバー３３０に囲まれたまま後退することになるので、ニードル３２０の端部が外部に露出しない。したがって、施術者および被施術者をニードル３２０による刺傷から安全に保護できる。
【００４５】
また、ニードルハブ３４０は前端の内周縁にムービングバー３３０の第１係止あご３３１ａおよび第２係止あご３３１ｂにかかる係止フック３４２が形成される。したがって、ニードルハブ３４０の後退時に、係止フック３４２が第１係止あご３３１ａにかかることでそれ以上後退しないので、ムービングバー３３０とニードルハブ３４０とが完全に分離せずにニードル３２０が安全にムービングバー３３０の内部に位置することになる。また、ニードルハブ３４０の後退完了後にニードルハブ３４０が前端に向かって動くことになっても係止フック３４２が第２係止あご３３１ｂにかかることで、それ以上前進できないのでニードル３２０がムービングバー３３０の外側に突出せずに安全に内部に位置することになる。
【００４６】
ピボット３５０は、ムービングバー３３０の前端に一体的に結合する。また、ピボット３５０の前端が後述するハブ３８０に挿入される。ピボット３５０は、ニードル３２０が貫通する第１領域３５０ａと、後述するラック３６０およびギヤ３７０が安着される第２領域３５０ｂとを有する。このとき、第１領域３５０ａは、ピボット３５０の下部のムービングバー３３０およびハブ３８０と結合された領域であり、第２領域３５０ｂは、第１領域３５０ａの上部に突出した領域である。なお、第２領域３５０ｂの前端には、ギヤ３７０との結合のための結合孔３５２をさらに形成することができる。
【００４７】
ラック３６０は、ピボット３５０の第２領域３５０ｂに位置する。特に、ラック３６０は、第２領域３５０ｂの後端に位置することができる。また、ラック３６０は、プラグ３１０および後述するハブ３８０の間の領域に位置することができる。このとき、ラック３６０は、ピボット３５０の第１領域３５０ａを貫通して結合しているニードル３２０によって支持されて第２領域３５０ｂに位置する。したがって、ニードル３２０の後退時に、ラック３６０は、ピボット３５０の上部の第２領域３５０ｂから下部の第１領域３５０ａに下降することになる。ラック３６０が下降して第１領域３５０ａに位置することによって、ニードル３２０がピボット３５０の外側に露出することを防止できる。言い換えれば、ピボット３５０の外側に向かう経路をラック３６０が遮断しているので、ニードル３２０がムービングバー３３０の内側に安全に位置できることになる。したがって、ニードル３２０の端部が露出しないため、施術者および被施術者共にニードル３２０による刺傷から保護できる。
【００４８】
また、ラック３６０は、後述するギヤ３７０と噛み合うようにのこぎり歯が形成されている。より具体的には、ラック３６０がギヤ３７０と向き合う前端にのこぎり歯を形成することができる。また、のこぎり歯は、ラック３６０の前端と向き合う後端にも形成することができる。ギヤ３７０は、のこぎり歯に沿って回転するように誘導される。
【００４９】
ギヤ３７０は、ピボット３５０の第２領域３５０ｂの前端に位置する。ギヤ３７０は、第２領域３５０ｂの結合孔３５１に結合して第２領域３５０ｂに固定される。このとき、ギヤ３７０は、結合孔３５１と結合するための結合突起３７１を有する。なお、ギヤ３７０は後述するハブ３８０の上端に安着される。また、ギヤ３７０が定着されるハブ３８０の上端には、のこぎり歯３８１が形成されてギヤ３７０と噛み合うことになる。さらに、ギヤ３７０は、第２領域３５０ｂの後端に位置するラック３６０と噛み合うように固定される。つまり、ラック３６０、ギヤ３７０およびハブ３８０はそれぞれに形成されたのこぎり歯によって噛み合って固定されている。
【００５０】
そして、ニードル３２０が後退させられるとき、ラック３６０が下降し、ラック３６０と噛み合っているギヤ３７０が回転することによってハブ３８０ののこぎり歯３８１から離脱する。したがって、ハブ３８０からピボット３６０およびニードルハブ３４０が分離されて被施術者の体にはハブ３８０だけが残される。
【００５１】
ハブ３８０は、ピボット３５０の第１領域３５０ａの前端と結合する。より具体的には、第１領域３５０ａの前端がハブ３８０の後端に挿入される。また、ハブ３８０の後端上部にはギヤ３７０に対応するのこぎり歯３８１が形成される。ハブ３８０は、のこぎり歯３８１に噛み合っているギヤ３７０によってピボット３５０と結合する。
【００５２】
カテーテル２０の使用前に、のこぎり歯３８１にギヤ３７０が安着し、噛み合って固定されており、使用後、ニードル３２０の後退時にはラック３６０の下降によってギヤ３７０がのこぎり歯３８１から離脱してハブ３８０とピボット３５０との分離が行われることになる。
【００５３】
チューブ３９０は、ハブ３８０の前端に結合する。チューブ３９０は、内部に貫通孔が形成されてニードル３２０を収納する。チューブ３９０は、被施術者の体内にニードル３２０と共に挿入され、ニードル３２０が後退して除去された後は、チューブ３９０だけが体内に残存することになる。したがって、ハブ３８０に注射器等を通じて他の薬液を注入する場合、チューブ３９０を通じた薬液注入が行われることになる。
【００５４】
キャップ４００は、ニードル３２０が被施術者の体内に挿入される前にカテーテルハブ３４０に結合してニードル３２０の端部が露出しないようにする。そして、ニードル３２０を被施術者の体内に挿入する場合は分離して除去できるようにする。
【００５５】
図１７から図２０は、本発明の他の実施形態に係るカテーテルの作動過程を示した図である。
【００５６】
まず、図１７に示されるように、施術者はニードルハブ３４０を手で把持しニードル３２０およびチューブ３９０を被施術者の体内に挿入する。このとき、ニードルハブ３４０の内部にはムービングバー３３０が挿入されており、ムービングバー３３０の内部にはプラグ３１０が挿入されている。ここで、ニードルハブ３４０およびプラグ３１０は、後端が固定されて一体的に結合している。さらに、ラック３６０、ギヤ３７０およびハブ３８０ののこぎり歯３８１は、いずれも噛み合って固定されている状態である。このとき、ラック３６０は、ピボット３５０の第１領域３５０ａを通過しているニードル３２０によって支持されてピボット３５０の第２領域３５０ｂに位置している。
【００５７】
図１８に示されるように、チューブ３９０だけを被施術者の体内に残すために施術者が他の手でハブ３８０を押してニードルハブ３４０を後方に引っ張る。したがって、ニードルハブ３４０およびプラグ３１０は、それぞれその間に位置するムービングバー３３０の外周縁および内周縁に沿って後退する。このとき、プラグ３１０にはニードル３２０が結合しているので、プラグ３１０の後退と同時にニードル３２０も後退することになる。そして、後退したニードル３２０はムービングバー３３０の内側に位置する。
【００５８】
一方、ムービングバー３３０の後端の外周縁には第１係止あご３３１ａおよび第２係止あご３３１ｂが形成され、ニードルハブ３４０の前端の内周縁には係止フック３４２が形成される。したがって、ニードルハブ３４０の後退時に、係止フック３４２が第１係止あご３３１ａおよび第２係止あご３３１ｂにかかることになり、それ以上後退または前進することが防止される。つまり、ニードルハブ３４０が第１係止あご３３１ａによってそれ以上後退せずにムービングバー３３０から分離されるのを防止することで、ニードル３２０が外部に露出せずに安全にムービングバー３３０の内側に位置することになる。また、ニードルハブ３４０が第２係止あご３３１ｂによって前進することが防止されることによって、ニードル３２０が露出せずに安全にムービングバー３３０の内側に位置することになる。
【００５９】
図１９に示されるように、ニードル３２０によって支持され、ピボット３５０の第２領域３５０ｂに位置していたラック３６０がニードル３２０の後退によって第１領域３５０ａに下降することになる。ギヤ３７０は、ラック３６０の下降によって反時計方向に回転し、回転によってのこぎり歯３８１から離脱してピボット３５０とハブ３８０との分離が行われる。したがって、被施術者の体にはチューブ３９０およびハブ３８０だけが残ることになる。また、分離されたニードル３２０は、ラック３６０がピボット３５０の外側に向かう経路を遮断することによって、外部に突出せずにムービングバー３３０の内側に安全に位置できるようになる。したがって、ニードル３２０の端部が露出しないため、施術者および被施術者共にニードル３２０による刺傷から安全に保護することができる。
【００６０】
図５ｄに示されるように、使用後に分離されたカテーテル２０の残りの部分は医療用ゴミ箱に廃棄処理する。
【００６１】
このようにして、本発明の他の実施形態に係るカテーテル２０は、ムービングバー３３０とハブ３８０との間にラック３６０およびギヤ３７０が定着されるピボット３５０を具備し、ラック３６０、ギヤ３７０およびハブ３８０ののこぎり歯３８１は互いに噛み合って固定結合される。このとき、ピボット３５０とムービングバー３３０は一体的に結合している。
【００６２】
また、ラック３６０はピボット３５０の下部の第１領域３５０ａを貫通するニードル３２０によって支持されてピボット３５０の上部の第２領域３５０ｂに位置する。そして、ニードル３２０の後退時にラック３６０が第２領域３５０ｂから第１領域３５０ａに下降し、ギヤ３７０が回転してのこぎり歯３８１から離脱することによってハブ３８０とピボット３５０の分離が行われる。同時にムービングバー３３０からピボット３５０の外側に向かう経路はラック３６０によって遮断されることによって、ニードル３２０がムービングバー３３０の内側に安全に位置することができる。したがって、ニードル３２０が露出せずに被施術者および施術者を刺傷から安全に保護できる。
【００６３】
以上の説明は、本発明に係る安全カテーテルを実施するための一実施形態に過ぎないものであって、本発明は上記実施形態に限定されず、以下の特許請求の範囲で請求するように本発明の要旨を逸脱することなく当該発明の属する分野で通常の知識を有する者であれば、誰でも多様な変更実施が可能な範囲にまで本発明の技術的思考がおよぶとみなされる。
【産業上の利用可能性】
【００６４】
本発明の一実施形態に係るカテーテルは、カテーテルハブにギヤ溝を備え、ソケットおよび第１ケースをギヤを通じてカテーテルハブと結合するように備え、ギヤの下端にニードルが貫通する溝を備えることによって、ニードルが後退して第１ケースによって囲まれた以後だけにギヤが回転してソケットおよび第１ケースがカテーテルハブと分離されることで、ニードルが露出せずに被施術者および施術者を刺傷から安全に保護できる。
【００６５】
また、本発明の他の実施形態に係るカテーテルは、ギヤ、ラックおよびハブに形成されたのこぎり歯によってハブとムービングバーとを固定したり分離したりし、ニードルの後退してムービングバーとハブが分離されてからはラックでニードルが外部に向かう経路が遮断されることで、ニードルが露出せずに被施術者および施術者を刺傷から安全に保護できる。
【符号の説明】
【００６６】
１０  カテーテル
１１０  プラグ
１２０  ニードル
１３０  第１ケース
１４０  第２ケース
１５０  ニードルハブ
１６０  ソケット
１７０  ギヤ
１７１  上側部
１７２  下側部
１７２ａ  ニードル溝
１８０  ホルダー
１９０  ガスケット
２００  カテーテルハブ
２１０  チューブ
２０  カテーテル
３１０  プラグ
３２０  ニードル
３３０  ムービングバー
３４０  ニードルハブ
３５０  ピボット
３６０  ラック
３７０  ギヤ
３８０  ハブ
３９０  チューブ
４００  キャップ
【図１】
2017509455.tif 000003
【図２】
2017509455.tif 000004
【図３】
2017509455.tif 000005
【図４】
2017509455.tif 000006
【図５】
2017509455.tif 000007
【図６】
2017509455.tif 000008
【図７】
2017509455.tif 000009
【図８】
2017509455.tif 000010
【図９】
2017509455.tif 000011
【図１０】
2017509455.tif 000012
【図１１】
2017509455.tif 000013
【図１２】
2017509455.tif 000014
【図１３】
2017509455.tif 000015
【図１４】
2017509455.tif 000016
【図１５】
2017509455.tif 000017
【図１６】
2017509455.tif 000018
【図１７】
2017509455.tif 000019
【図１８】
2017509455.tif 000020
【図１９】
2017509455.tif 000021
【図２０】
2017509455.tif 000022
【国際調査報告】
2017509455.tif 000023
2017509455.tif 000024
2017509455.tif 000025
2017509455.tif 000026
2017509455.tif 000027
2017509455.tif 000028